(57)【要約】本発明は、操作パネル上に指紋センサを備えるとともに、ディスプレイ上のカーソルまたはポインタの移動の操作性を損なうことのない指紋センサ内蔵携帯端末装置を提供することを目的とする。  この目的を達成するために、操作パネル上に指の指紋認証用の指紋センサを設け、指の移動または指紋センサのセンサ面に加えられた圧力の位置の時間的変化に応じてディスプレイ上のカーソルまたはポインタを移動させるようにした。また、時間的変化を検出するタイミングは指または圧力の移動の時間的変化に応じて決定されるようにした。
2004104813.tif 000002
【特許請求の範囲】
【請求項１】
操作パネル上に指の指紋認証用の指紋センサを設け、該指紋センサのセンサ面上の指の移動または加えられた圧力の位置の時間的変化に応じてディスプレイ上に表示されたカーソルまたはポインタを移動させるようにしたことを特徴とする指紋センサ内蔵携帯端末装置。
【請求項２】
請求項１において、前記時間的変化を検出するタイミングは、前記センサ面上の指または加えられた圧力の位置の時間的変化に応じて決定されることを特徴とする指紋センサ内蔵携帯端末装置。
【請求項３】
請求項１において、前記ディスプレイ上に表示されたカーソルまたはポインタの移動中に前記指紋認証が実行されることを特徴とする指紋センサ内蔵携帯端末装置。
【請求項４】
操作パネル上に設けられた指の指紋認証用の指紋センサと、該指紋センサに任意の指が指紋登録に必要な情報を読み取ることができるまで押し付けられて指紋登録が完了したことを示すメッセージを表示するディスプレイとを備えたことを特徴とする指紋センサ内蔵携帯端末装置。
【請求項５】
請求項４において、前記指紋登録が完了したことを示すメッセージは、少なくとも該指紋が登録されるアドレス（ＩＤ）を含むことを特徴とする指紋センサ内蔵携帯端末装置。
【請求項６】
請求項４において、前記指紋登録が完了したことを示すメッセージは、少なくとも当該指紋の画像を含むことを特徴とする指紋センサ内蔵携帯端末装置。
【請求項７】
請求項４において、前記指紋登録は複数の指紋が登録されることを特徴とする指紋センサ内蔵携帯端末装置。
【請求項８】
操作パネル上に設けられた指の指紋認証用の指紋センサと、機能ロック解除用の認証指紋として登録する指紋のアドレス（ＩＤ）を表示するディスプレイとを備えたことを特徴とする指紋センサ内蔵携帯端末装置。
【請求項９】
請求項８において、機能ロック解除時に、前記機能ロック解除用の認証指紋として登録された指紋と、機能ロック解除のために前記指紋センサで確認した指紋とが一致しない場合に、再度指紋認証を行うことを特徴とする指紋センサ内蔵携帯端末装置。
【請求項１０】
操作パネル上に設けられた指の指紋認証用の指紋センサと、該指紋センサにより複数の指紋が記憶されるとともに、各指紋ごとに情報が対応付けられて登録される情報登録手段とを備え、
該情報登録手段に登録された情報を利用する場合に、指紋認証が該情報登録手段に登録された情報に対応付けられて登録された指紋に一致した場合に限り該情報登録手段に登録された情報の利用が許可されることを特徴とする指紋センサ内蔵携帯端末装置。
【請求項１１】
操作パネル上に設けられた指の指紋認証用の指紋センサと、画像を表示するディスプレイとを備え、前記操作パネルと前記指紋センサとの間に段差を備えたことを特徴とする指紋センサ内蔵携帯端末装置。
【請求項１２】
請求項１１において、前記段差は前記操作パネルよりも前記指紋センサの方が低いことを特徴とする指紋センサ内蔵携帯端末装置。
【請求項１３】
請求項１１において、前記段差は前記操作パネルと前記指紋センサとの境界部に両方よりも高さのある輪郭を設けて構成したことを特徴とする指紋センサ内蔵携帯端末装置。
【請求項１４】
複数の釦を備えた操作パネルと、画像を表示するディスプレイとを備えた携帯端末装置であって、該装置を左右いずれかの手で前記操作パネルを保持したときに指の腹面で触れ易い位置に指紋センサ部を設けたことを特徴とする指紋センサ内蔵携帯端末装置。
【発明の詳細な説明】
【技術分野】  本発明は、指紋を認証するセンサを備えた携帯端末装置に関する。
【背景技術】  携帯電話機に代表される携帯端末装置の普及にともない、持ち主以外の不正使用を防止するために、指紋認証の機能を内蔵した携帯端末装置が提案されている（例えば、特開２００２−３３０２０２号公報参照）。
これは、操作パネルの中央位置に指紋センサを内蔵したもので、この中央位置は左手親指等の使用者が操作に通常使用する指の指紋を予め登録し、携帯端末装置を使用するときにその指紋を自動的に認証することによって、不正使用を防止するものである。
この構成では圧電式指紋センサまたは静電容量式指紋センサを備えるとともに、その周囲の上下左右にカーソル釦を備えたもので、指紋認証は指紋センサにより、ディスプレイ上のカーソルの移動はカーソル釦により行われる。
【発明の開示】
上述の指紋センサ内蔵携帯端末装置では、指紋認証は指紋センサにより、ディスプレイ上のカーソルやポインタの移動は指紋センサの周囲に設けられたカーソル釦により行われるように構成されている。指紋認証に必要な指紋センサの大きさは、例えば成人男性の左手の親指の腹面を基準に考えると、おおよそ９ミリメートル四方乃至１５ミリメートル四方で十分と考えられる。これに対して、ディスプレイ上のカーソルの移動は指紋センサの周囲に数ミリメートル離して設けられたカーソル釦を親指で押すことによって指示される。したがって、上下のカーソル釦の間隔または左右のカーソル釦の間隔は１５ミリメートルに数ミリメートルを加えた長さとなって、親指の腹面の大きさを有に超えてしまう。すなわち、上のカーソル釦を押した後に下のカーソル釦を押す場合には、親指全体を上下に１５ミリメートル以上移動させなければならず、非常に操作性が悪化してしまう。これは左右のカーソル釦についても同様である。
本発明は、操作パネル上に指紋センサを備えるとともに、ディスプレイ上のカーソルまたはポインタの移動の操作性を損なうことのない指紋センサ内蔵携帯端末装置を提供することを目的とする。
本発明の実施態様においては、操作パネル上に指の指紋認証用の指紋センサを設け、指の移動または指紋センサのセンサ面に加えられた圧力の位置の時間的変化に応じてディスプレイ上のカーソルまたはポインタを移動させるようにしたものである。また、時間的変化を検出するタイミングは指または圧力の移動の時間的変化に応じて決定されるようにしたものである。
また、時間的変化を検出するタイミングは指または圧力の移動の時間的変化に応じて決定されるようにしたものである。
また、操作パネル上に設けられた指の指紋認証用の指紋センサと、該指紋センサに任意の指が指紋登録に必要な情報を読み取ることができるまで押し付けられて指紋登録が完了したことを示すメッセージを表示するディスプレイとを備えたものである。
また、操作パネル上に設けられた指の指紋認証用の指紋センサと、機能ロック解除用の認証指紋として登録する指紋のアドレス（ＩＤ）を表示するディスプレイとを備えたものである。
また、操作パネル上に設けられた指の指紋認証用の指紋センサと、該指紋センサにより複数の指紋が記憶され、各指紋ごとに情報が対応付けられて登録される情報登録手段とを備えるとともに、情報登録手段に登録された情報を利用する場合に、指紋認証が情報登録手段に登録された情報に対応付けられて登録された指紋に一致した場合に限り情報登録手段に登録された情報の利用が許可されるものである。
また、操作パネル上に設けられた指の指紋認証用の指紋センサと、画像を表示するディスプレイとを備え、操作パネルと指紋センサとの間に段差を備えたものである。
【図面の簡単な説明】  第１図は、携帯端末装置の正面図である。第２図は、指紋センサ部を拡大した斜視図である。第３図は、ディスプレイに表示された指紋の画像を示す画面図である。第４図は、ディスプレイに表示された指紋の画像を示す画面図である。第５図は、ディスプレイへ表示される画面の例を示す正面図である。第６図は、第５図における指の移動を検出する原理を示す模式図である。第７図は、指紋を登録するときの手順を示すフローチャートである。第８図は、ディスプレイへ表示される画面の例を示す正面図である。第９図は、ディスプレイへ表示される画面の例を示す正面図である。第１０図は、機能をロックするときの手順を示すフローチャートである。第１１図は、ディスプレイへ表示される画面の例を示す正面図である。第１２図は、ディスプレイへ表示される画面の例を示す正面図である。第１３図は、ディスプレイへ表示される画面の例を示す正面図である。第１４図は、携帯端末装置を中心とした通信ネットワークの一例を示す構成図である。第１５図は、銀行振込モード時の手順を示すフローチャートである。第１６図は、ディスプレイへ表示される画面の例を示す正面図である。第１７図は、ディスプレイへ表示される画面の例を示す正面図である。第１８図は、ディスプレイへ表示される画面の例を示す正面図である。
【発明を実施するための最良の形態】  以下、本発明の実施例を図面を用いて説明する。第１図は、携帯端末装置の正面図である。本体１はディスプレイ２、操作パネル３を備え、操作パネル３に設けられた各種釦を押すことによって、ディスプレイ２に文字が表示されたり、表示されたカーソルを移動させて所望のメニューを選択、指示する。操作パネル３には、左右いずれかの手で操作パネル３を保持したときに指の腹面で触れ易い位置に指紋センサ部４が設けられている。指紋センサ部４の大きさは、指紋認証のために必要な指紋の必要面積から決められ、通常９ミリメートル四方乃至１５ミリメートル四方が望ましい。なお、指紋センサ部４の形状は、指紋を登録したり認証したりするときに、指紋の情報が取得できるものであれば形状に制限はなく、例えば正方形でも長方形でも円形でも楕円形でもよい。
指紋センサ部４の操作は、指の腹面を上下左右へ移動させるか、指そのものをすべらせて移動させることによりその移動が検知され、ディスプレイ上のカーソルが移動する。このように、指紋センサの周囲にカーソル釦を設ける必要がないため、操作性に優れ、多機能をコンパクトにまとめることができる。また、その結果、簡素なデザイン性を有し、装置本体の小型化も達成することができる。
指紋センサの種類としては、感圧式、圧電式、静電式、磁気式、光学式、感熱式など各種形式があり、指紋センサ上で指の移動、こすり（スワイプ）や、指の腹面の押し付けによる圧力の大きさが検出あるいは判断できるものであれば、どの形式でもよい。
第２図は、指紋センサ部４を拡大した斜視図である。操作パネル３の面よりも指紋センサ部４が若干低くなっている。このように操作パネル３の面に対して段差を設けることによって、指紋センサ部４の位置を確認し易くするだけでなく、指紋の確認時のずれを防止するために有効な指の位置決めの効果もある。段差は低くする他、高くしたり、操作パネル３と指紋センサ部４との境界部に細くて少し高さのある輪郭を設けても、同様の効果を得ることができる。
このように、操作パネル上に設けられた指の指紋認証用の指紋センサと、画像を表示するディスプレイとを備え、操作パネルと指紋センサとの間に段差を備えるようにしたので、指の位置決めが容易になり、指紋認証の場合の指のずれを防止できるので、操作性が向上するとともに指紋認証時の認証率をあげたり、誤認識を防ぐことができる。
第３図および第４図は、指紋センサ部４で検出した指紋を、指紋センサ部４からの信号を増幅して図示しないディスプレイ５上に画像化して表示した画面図である。ディスプレイ５として携帯端末装置１のディスプレイ２を利用すれば、例えば、指紋認証用に登録した指紋の状態を目で見て確認することができる。指紋認証のためには、第３図に示すようなひとつの指の指紋６ａが、認証のために必要な大きさだけ認識できればよい。これに対して、携帯端末装置１のディスプレイ２に表示されたカーソルを移動させるためには、指の時間的な移動や、指紋センサ部４に加えた圧力の時間的な移動を検知する必要がある。例えば、圧力の時間的な移動の場合は、第３図に示す状態から第４図に示す状態に変化した場合、検出された指紋６ｂは指紋センサ部４の上方にしか存在しないことから、押し付け圧力は上方へ移動していることがわかる。この圧力移動の情報をカーソルの移動に連動させることで、指紋センサ部４にカーソルを移動させる機能を付与することができる。
第５図はディスプレイ２へ表示される画面の例を示す正面図、第６図は第５図における指の移動を検出する原理を示す模式図である。画面に表示された複数の釦のうち、釦７ａから釦７ｂへポインタ８を移動させる場合、第４図に示したような指の押し付け圧力を変化させるか、指を移動させる。指紋センサ部４では、検出された指の位置または圧力の中心６１が矢印で示す方向に移動して新たな指の位置または圧力の中心６２へ移動したことを検出する。
指紋を認識するためには、画素または感圧電極のピッチを０．０５ミリメートル程度にする必要がある。一方、第６図に示す指の移動を検出するためのメッシュのひとつの長さＬ２は０．２乃至０．５ミリメートル程度が望ましい。このメッシュの大きさを小さくすれば検出精度が高くなるが、演算速度は遅くなり、指の移動に追従できなくなる。また、大きくすれば、指の移動の検出が粗くなり、ディスプレイ上のカーソルやポインタの移動がステップ状になって見ずらくなる。指紋センサ部４の一辺の長さＬ１を１０ミリメートルと仮定すると、一辺当たりのメッシュの数は２０乃至５０となる。このようなメッシュにおいて、静止画である指紋検出時はその検出タイミングは遅くてもよく、一秒当たり４乃至５フレームで十分であるが、指または圧力の時間的変化を検出するときには、一秒当たり少なくとも１０乃至１５フレームが必要である。したがって、指紋を検出するときと、指または圧力の時間的変化を検出するときで、検出タイミングを切り替えるようにする。このようにすることによって、カーソルやポインタの画面上の動きが指または圧力の移動の時間的変化に追従して自然な動きになり、使用者が違和感を覚えることを防止できるという効果がある。
第５図に示したようなポインタの移動をさせるのではでなく、カーソルを上下左右へ移動させてメニューを選択するような場合は、上述したような数のメッシュではなく、例えば一辺が３の合計９個のメッシュで指または圧力を検出するようにし、指紋センサ部４のメッシュ９個に分割した領域を指でたたくようにして、カーソルを任意の方向に移動させるようにすれば、指または圧力の移動をこまかく検出する必要がないので、ＣＰＵの負荷を下げることができる。
第７図は、指紋を登録するときの手順を示すフローチャート、第８図から第９図はディスプレイ２へ表示される画面の例を示す正面図である。
電源をＯＮ後（ステップ７１）、図示しない通常メニューが表示され（ステップ７２）、その通常メニューで図示しない指紋モードを表示させ（ステップ７３）、第８図に示す指紋登録メニューを表示させる（ステップ７４）。ディスプレイ２には、指紋モード表示領域８１、指紋登録表示領域８２、メッセージ表示領域８３が表示され、メッセージ表示領域のメッセージにしたがって、指紋センサ部４に任意の指の腹を押し付け、指紋登録に必要な情報を読み取ることができると、第９図に示すような表示に切り替わる。ディスプレイ２には指紋が登録される番号などのアドレス（ＩＤ）が表示される登録確認表示領域９１と、指紋の画像が表示される指紋画像表示領域９２とが表示される（ステップ７５）。次に、登録確認表示領域９１へカーソルを移動させて指を強く押し付けるか一定時間押し付け続けると、図示しない指紋登録完了のメッセージが表示され、図示しない指紋モードの画面表示へ戻る（ステップ７６）。
第１０図は、機能をロックするときの手順を示すフローチャート、第１１図から第１３図はディスプレイ２へ表示される画面の例を示す正面図である。
電源をＯＮ後（ステップ１０１）、図示しない通常メニューから第１１図に示す機能ロックモードを表示させることができる（ステップ１０２）。機能ロックモードでは、機能ロックモードの表示領域１１１の他、ロックされていない場合にはロック要否確認表示領域１１２とその回答表示領域１１３が表示され、使用者が携帯端末装置の各種機能をロックさせたい場合は、回答表示領域１１３で「はい」にカーソルを移動させて強く押し付ける等で指定すると、ロック要否確認表示領域１１２に表示された番号等のアドレス（ＩＤ）に登録されている指紋をロック解除用の認証指紋として、機能ロックされる。
機能がロックされている場合には、図示しない通常メニューから機能ロックモードを表示させると、第１２図に示すようなロック解除メニューが表示される（ステップ１０３）。第１２図は機能ロックの解除のときの表示例で、ディスプレイ２には、ロック解除表示領域１２１とメッセージ表示領域１２２とが表示される。メッセージ表示領域１２２には機能ロックを解除するために必要な指紋認証用の指紋のアドレス（ＩＤ）が表示され、該当する指を指紋センサ部へ押し付け指紋照合を行う（ステップ１０４）。押し付けられた指紋と登録された指紋とが一致するかどうかの判定を行い（ステップ１０５）、一致の場合は機能ロックが解除されて図示しないロック解除のメッセージを表示し（ステップ１０６）、図示しない通常メニューの表示に戻る（ステップ１０７）。ステップ１０５で一致しない場合には、第１３図に示すようなロック解除不成功のメッセージを表示する（ステップ１０８）。第１３図に示すディスプレイ２には、解除不成功のメッセージ表示領域１３１が表示される。使用者が正しい指を押し付けたにもかかわらず指紋認証時のエラーがあった可能性もあるので、再度指を押し付けて指紋認証をやりなおすことができる。
このように、機能ロックのために指紋認証用に登録された指の任意のアドレス（ＩＤ）を指定できるので、機能ロック解除のための安全性が高まるという効果が期待できる。
第１４図は、第１図に示した携帯端末装置１を中心とした通信ネットワークの一例を示す構成図である。携帯端末装置１に例えば赤外線や無線通信規格のひとつであるブルートゥース（商標）等の無線通信技術を用いて、携帯端末装置１での指紋認証情報を送信し、受信側では、例えば銀行端末１４２で認証を得られた銀行口座の各種手続きを行い、商店でのレジスタ１４３では買い物時の電子マネーによる支払いを行い、自動車１４４や自宅やオフィス１４７ではドアの栓錠や開錠を行う。この場合、携帯端末装置１で指紋認証を実行し、認証完了の情報を暗号化して送信する場合と、指紋センサで取得した指紋情報そのものを送信し、受信側で認証を実行する場合とが考えられる。このように、指紋認証により本人であるかどうかを確実に認証できるので、犯罪の防止に効果が期待できる。また、例えば、外出時に自宅やオフィス１４７の情報家電１４９を制御するために、携帯端末装置１からサービスセンタ１４５へ制御情報が送信され、インターネット１４６等の通信網を介して制御情報が自宅やオフィス１４７へ送信される場合、サービスセンタ１４５では、携帯端末装置１から送信された指紋認証情報に基づいて、許可された制御情報だけを情報家電１４９へ送信するようにすれば、情報家電１４９が誤った情報に基づいて制御されることを防止できるという効果が期待できる。
また、指紋センサにディスプレイ上のカーソル移動機能を付与したことにより、カーソル移動操作中にも指紋を取得できることから、指紋認証を実行してから各種手続きを実行するのではなく、例えば、銀行口座の処理の指示中に同時に指紋認証できるので、操作者に指紋認証が行われていることを意識させずに操作者が本人かどうか確認することができるという効果も期待できる。
第１５図は、銀行振込モード時の手順を示すフローチャート、第１６図から第１８図はディスプレイ２へ表示される画面の例を示す正面図である。
第１４図に示した銀行端末１４２で認証を得られた銀行口座の各種手続きの一例として、振込み時の指紋認証の一例を説明する。第１５図において、電源をＯＮ後（ステップ１５１）、図示しない通常メニューが表示され（ステップ１５２）、図示しない銀行振込モードを表示させ（ステップ１５３）、第１６図に示す銀行振込モードの指紋照合モードを表示させる（ステップ１５４）。ディスプレイ２には銀行振込モード表示領域１６１、振込情報表示領域１６２、メセージ表示領域１６３、回答領域１６４が表示され、メセージ表示領域１６３のメッセージに従って回答領域１６４の指紋番号、すなわち登録された指紋のアドレス（ＩＤ）をカーソルを移動させて指定すると、第１７図に示す指紋認証の画面になる。ディスプレイ２にはメッセージ表示領域１７１が表示され、第１図に示す指紋センサ部４へ指を押し付けることによって指紋認証を行う。登録されたアドレス（ＩＤ）の指紋と押し付けられた指紋とが一致するかどうか判定を行い（ステップ１５５）、一致する場合はその結果を表示するとともに、振込みするかどうかを確認し（ステップ１５６）、使用者の了解を得られたなら銀行振込を指示する（ステップ１５７）。ステップ１５５で指紋が一致しなかった場合は、第１８図に示すように不成功を表示する（ステップ１５８）。ディスプレイ２にはメッセージ表示領域１８１、指示領域１８２，１８３が表示され、支持領域１８２へカーソルを合わせて指示すると、第１６図に示した指紋番号を指定する画面へ戻るので、指紋番号を指定し直すことができる。指示領域１８３を指定すれば、図示しない銀行振込モードの画面に戻る。なお、第１５図に示したステップ１５５で指紋が一致しなかった場合、第１３図で説明したような再確認画面を表示してもよい。
指紋番号、すなわち指紋のアドレス（ＩＤ）として複数の指紋を登録しておけば、ひとつの携帯端末装置で複数の人の指紋認証が可能となったり、複数の銀行口座ごとに認証が必要な指紋を複数登録させて安全性を高めるといった、指紋認証と情報との対応付けも可能である。例えば、第１６図において、回答領域１６４に表示された指紋番号として、０１番に使用者本人、０２番にＡさん、０３番にＢさんというように登録させておき、あらかじめ振込み時の元口座と対応付けることで、ひとつの携帯端末装置で複数の人の銀行振込手続きが可能となる。また、０１番に使用者本人の左手親指、０２番に左手人差し指、０３番に右手親指というように登録させておき、０１番にはＡ銀行Ａ口座、０２番にはＢ銀行Ｂ口座、０３番にはＣ銀行Ｃ口座というように対応付けておけば、Ａ銀行Ａ口座へ振り込むことができるのは０１番に登録された使用者本人の左手親指が指紋認証で一致したときだけとなり、安全性が高まるという効果がある。
指紋の登録の用途としては、銀行振込手続きに限られず、例えば０１番に登録された左手親指にはＡさんの電話番号等の連絡先、０２番に登録された左手人差し指にはＢさんの連絡先、０３番に登録された右手親指にはＣさんの連絡先というようにして、電話等の連絡をとりたいときのワンタッチダイヤルとしても指紋認証機能を使用することができる。
以上のような構成により、携帯端末装置に指紋認証機能を設けるとともに、指の腹面を上下左右へ移動させるだけでその移動を検知することによりディスプレイ上のカーソルやポインタを移動させるようにしたので、指紋センサの周囲にカーソル釦を設ける必要がなくなり、操作性に優れ、多機能がコンパクトにまとまり、簡素なデザイン性を有し、装置本体の小型化も達成できるという優れた効果を得ることが可能となる。
また、時間的変化を検出するタイミングは指の移動の時間的変化に応じて決定されるようにしたので、カーソルやポインタの画面上の動きが指の移動の時間的変化に追従して自然な動きになり、使用者が違和感を覚えることを防止できるという効果がある。
また、指紋センサに任意の指が指紋登録に必要な情報を読み取ることができるまで押し付けられて指紋登録が完了したことを示すメッセージを表示するようにしたので、指紋認証に十分な情報を得ることができる。
また、機能ロック解除用の認証指紋として登録する指紋のアドレス（ＩＤ）を表示して、機能ロックのために指紋認証用に登録された指の任意のアドレス（ＩＤ）を指定できるので、機能ロック解除のための安全性が高まるという効果が期待できる。
また、指紋センサにより複数の指紋が記憶されるとともに各指紋ごとに情報が対応付けられて登録される情報登録手段に登録された情報を利用する場合に、指紋認証が情報登録手段に登録された情報に対応付けられて登録された指紋に一致した場合に限り情報登録手段に登録された情報の利用が許可されるようにしたので、安全性が高まるという効果が期待できる。
また、操作パネル上に設けられた指の指紋認証用の指紋センサと、画像を表示するディスプレイとを備え、操作パネルと指紋センサとの間に段差を備えるようにしたので、指の位置決めが容易になり、指紋認証の場合の指のずれを防止できるので、操作性が向上するとともに指紋認証時の誤認識を防ぐことができる。
以上述べたように、本発明によれば、操作パネル上に指紋センサを備えるとともに、ディスプレイ上のカーソルまたはポインタの移動の操作性を損なうことのない指紋センサ内蔵携帯端末装置を提供することができる。
【図１】
2004104813.tif 000003
【図２】
2004104813.tif 000004
【図３】
2004104813.tif 000005
【図４】
2004104813.tif 000006
【図５】
2004104813.tif 000007
【図６】
2004104813.tif 000008
【図７】
2004104813.tif 000009
【図８】
2004104813.tif 000010
【図９】
2004104813.tif 000011
【図１０】
2004104813.tif 000012
【図１１】
2004104813.tif 000013
【図１２】
2004104813.tif 000014
【図１３】
2004104813.tif 000015
【図１４】
2004104813.tif 000016
【図１５】
2004104813.tif 000017
【図１６】
2004104813.tif 000018
【図１７】
2004104813.tif 000019
【図１８】
2004104813.tif 000020
【国際調査報告】
2004104813.tif 000021
2004104813.tif 000022
2004104813.tif 000023
2004104813.tif 000024
2004104813.tif 000025
2004104813.tif 000026
2004104813.tif 000027